【誤訳訂正書】
【提出日】平成22年6月28日(2010.6.28)
【誤訳訂正１】
【訂正対象書類名】特許請求の範囲
【訂正対象項目名】全文
【訂正方法】変更
【訂正の内容】
【特許請求の範囲】
【請求項１】
流体の性質を測定するための音響変換器であって、
音響パルス発生器と、
前記パルス発生器と前記流体間に介在し、低熱伝導率物質で形成されたインピーダンス整合層と、
前記整合層からの伝熱のために前記整合層に取り付けられる熱管理システムと、を備えており、
前記熱管理システムは、前記整合層よりも高熱伝導率を持つ物質からなり、前記パルス発生器での極端な温度上昇を伴わずに相当の熱が前記熱管理システムから周囲へ移るように、前記整合層に沿って配置されるものであり、
前記熱管理システムが、前記整合層に取り付けられるスリーブと、当該スリーブに取り付けられる複数の羽根とを含むとともに、
前記羽根が、前記音響パルス発生器を基準にして流体とは反対側に配置される音響変換器。
【請求項２】
前記整合層熱伝導率が１５Ｗ／（ｍ・Ｋ）未満である請求項１記載の音響変換器。
【請求項３】
前記整合層熱伝導率が１Ｗ／（ｍ・Ｋ）未満である請求項１記載の音響変換器。
【請求項４】
前記整合層が発泡シリカである請求項１記載の音響変換器。
【請求項５】
前記整合層がシリカである請求項１記載の音響変換器。
【請求項６】
前記熱管理システム熱伝導率が少なくとも１５Ｗ／（ｍ・Ｋ）である請求項１記載の音響変換器。
【請求項７】
前記熱管理システム熱伝導率が少なくとも１００Ｗ／（ｍ・Ｋ）である請求項１記載の音響変換器。
【請求項８】
前記パルス発生器が特定周波数で作動するように設計されており、前記整合層が前記パルス発生器の前記特定周波数における前記整合層の4分の1の音波長の奇数倍にほぼ等しい厚さを持つ、請求項１記載の音響変換器。
【請求項９】
前記音響発生器が超音波パルスを発生する圧電セラミック素子である請求項１記載の音響変換器。
【請求項１０】
前記整合層が測定対象である前記流体と接触する表面被膜を持つ請求項１記載の音響変換器。
【請求項１１】
作動中に前記整合層側面の少なくとも一部と整合層の先端が、測定対象である前記流体中に伸び、前記熱管理システムが、前記流体と前記整合層の先端を接触させたままで前記整合層側面の一部を前記流体からの熱から分離するように配置される、請求項１記載の音響変換器。
【請求項１２】
前記整合層側面の分離された部分が前記熱管理システムによって形成されるエアギャップによって分離される請求項１１記載の音響変換器。
【請求項１３】
流体の性質を測定するための音響変換器であって、
音響パルス発生器と、
前記パルス発生器と前記流体間に介在し、熱伝道率が１Ｗ／（ｍ・Ｋ）未満である物質
で形成されたインピーダンス整合層と、
前記整合層からの伝熱のための前記整合層を覆うスリーブを含む熱管理システムと、を
備えており、
前記熱管理システムは、前記整合層よりも高熱伝導率を持つ物質からなり、前記パルス
発生器での極端な温度上昇を伴わずに相当の熱が前記熱管理システムから周囲へ移るよう
に、前記整合層に沿って配置されるものであり、
前記熱管理システムが、当該スリーブに取り付けられる複数の羽根を含み、前記羽根が、前記音響パルス発生器を基準にして流体とは反対側に配置される音響変換器。
【請求項１４】
前記熱管理システム熱伝導率が少なくとも１５Ｗ／（ｍ・Ｋ）である請求項１３記載の
音響変換器。
【請求項１５】
前記熱管理システム熱伝導率が少なくとも１００Ｗ／（ｍ・Ｋ）である請求項１３記載の音響変換器。
【請求項１６】
前記パルス発生器が特定周波数で作動するように設計されており、前記整合層が前記パルス発生器の前記特定周波数における前記整合層の4分の1の音波長の奇数倍にほぼ等しい厚さを持つ、請求項１３記載の音響変換器。
【請求項１７】
前記羽根が、スリーブから外に向かって伸びる請求項１３記載の音響変換器。
【請求項１８】
前記音響発生器が超音波パルスを発生する圧電セラミック素子である請求項１３記載の音響変換器。
【請求項１９】
前記整合層が測定対象である前記流体と接触する表面被膜を持つ請求項１３記載の音響変換器。
【請求項２０】
作動中に前記整合層側面の少なくとも一部と整合層の先端が、測定対象である前記流体中に伸び、前記熱管理システムが、前記流体と前記整合層の先端を接触させたままで前記整合層側面の一部を前記流体からの熱から分離するように配置される、請求項１３記載の音響変換器。
【請求項２１】
前記整合層側面の分離された部分が前記熱管理システムによって形成されるエアギャップによって分離される請求項２０記載の音響変換器。
【請求項２２】
内部を流体が流れる管を含む装置と組み合わせた改良装置であって、
音響パルス発生器と、前記パルス発生器と前記流体間に介在し、低熱伝導率物質で形成されるインピーダンス整合層と、前記整合層からの伝熱のために前記整合層に取り付けられる熱管理システムとを含み、前記熱管理システムは前記整合層よりも高熱伝導率を持つ物質からなり、前記パルス発生器での極端な温度上昇を伴わずに相当の熱が前記熱管理システムから周囲へ移るように、前記整合層に沿って配置されるものであり、前記熱管理システムが、前記整合層に取り付けられるスリーブと、当該スリーブに取り付けられる複数の羽根とを含むとともに、前記羽根が、前記音響パルス発生器を基準にして流体とは反対側に配置される、流体の性質を測定するための音響変換器を備える、改良装置。
【請求項２３】
流体を受ける流入口と、
希釈ガスを受ける希釈口と、
前記希釈ガスと、前記流体の少なくとも一部とを混合する混合部と、
前記混合物のサンプルを集める収集部と、
サンプリングシステムに関連する流れを測定するための流量計と、を備えており、
前記流量計が、音響パルス発生器と、前記パルス発生器と前記流体間に介在し、低熱伝導率物質で形成されるインピーダンス整合層と、前記整合層からの伝熱のために前記整合層に取り付けられる熱管理システムとを含み、前記熱管理システムは前記整合層よりも高熱伝導率を持つ物質からなり、前記パルス発生器での極端な温度上昇を伴わずに相当の熱が前記熱管理システムから周囲へ移るように、前記整合層に沿って配置されるものであり、前記熱管理システムが、前記整合層に取り付けられるスリーブと、当該スリーブに取り付けられる複数の羽根とを含むとともに、前記羽根が、前記音響パルス発生器を基準にして流体とは反対側に配置される、前記流れを測定するための音響変換器を含む、サンプリングシステム。
【請求項２４】
前記流量計が流れ測定用の流体が内部を流れる管の中に対向型に配置される一対の音響
変換器を含む請求項２３記載のサンプリングシステム。
【請求項２５】
主管から流体をサンプリングするためのサンプルラインと、
音響パルス発生器と、前記パルス発生器と前記流体間に介在し、低熱伝導率物質で形成されるインピーダンス整合層と、前記整合層からの伝熱のために前記整合層に取り付けられる熱管理システムとを含み、前記熱管理システムは前記整合層よりも高熱伝導率を持つ物質からなり、前記パルス発生器での極端な温度上昇を伴わずに相当の熱が前記熱管理システムから周囲へ移るように、前記整合層に沿って配置されるものであり、前記熱管理システムが、前記整合層に取り付けられるスリーブと、当該スリーブに取り付けられる複数の羽根とを含むとともに、前記羽根が、前記音響パルス発生器を基準にして流体とは反対側に配置される、前記流れを測定するための音響変換器を含む、前記主管を流れる前記流体の流れを測定するための流量計と、
希釈ガスを受ける希釈口と、
前記サンプルラインからの前記流体流れと前記希釈ガスとをほぼ一定の割合で混合する混合部と、
前記主管を通る前記流体の前記流れにほぼ比例する割合でサンプルされる前記混合物をサンプリングするための収集部と、を備える、サンプリングシステム。
【請求項２６】
前記流量計が前記主管の中に対向型に配置される一対の音響変換器を含む請求項２５記載のサンプリングシステム。
【誤訳訂正２】
【訂正対象書類名】明細書
【訂正対象項目名】０００２
【訂正方法】変更
【訂正の内容】
【０００２】
流体通過音響エネルギーのパルス伝達は、その流体の状態と性質、特にその速度と温度を測定するのに役立つ。圧電セラミック素子は、一般的に、超音波音響パルスや持続波場を発生させる音響変換器で利用される。しかしながら、これらのセラミックは、そのキュリー点の半分を上回る温度にさらされると、分極を失う。商業的に入手可能なセラミックでは、これによりそのセラミックの作動温度が２００℃未満に制限される。この温度を超える流体中で作動するための一つの方法は、図１
に示されるように圧電セラミック素子と流体（例えば、排気ガス）の間に緩衝器や遅延線を設けることである。図1は音響変換器１０を表す。変換器１０は、圧電セラミック素子１２と、排気ガスとして説明されている流体中に壁１６を通って伸びる緩衝器１４を含む。緩衝器１４において、熱は圧電セラミック素子１２の方向である上部に向かって伝導するので、緩衝器１４の中の熱エネルギーは、内部対流境界層１８と外部対流境界層２０とで分散させられる。緩衝器は、フーリエの熱伝導の法則の原理によって作動する。
ｑ ″ ＝ − κ ∇ Ｔ
ここで、ｑ″は熱流速、ｋは物質の熱伝導率、Ｔは温度である。この方程式の詳細な解法はいくつかの簡単な仮定を用いる計算方法を必要とし、緩衝器システムは図２
に示される等価回路として表せる集中パラメータモデルに変換されうる。図２は集中パラメータモデルにおける排気、緩衝器の先端、結晶、周囲温度、そして、外部対流境界層の熱抵抗、緩衝器、内部対流境界層を説明する。
【誤訳訂正３】
【訂正対象書類名】明細書
【訂正対象項目名】００１０
【訂正方法】変更
【訂正の内容】
【００１０】
前記熱管理システムは、前記パルス発生器での極端な温度上昇を伴わずに相当の熱が前記熱管理システムから周囲へ移るようなものであれば、物質と形状は変更してもよい。好ましくは、前記熱管理システム熱伝導率は、少なくとも１５Ｗ／（ｍ・Ｋ）である。より好ましくは、前記熱管理システム熱伝導率は、少なくとも１００Ｗ／（ｍ・Ｋ）である。好ましい熱管理システムは、整合器本体の低部の熱を分散させるための保持器に取り付けられる複数の羽根を含む。好ましくは、前記羽根が、前記音響パルス発生器を基準にして流体とは反対側に配置される。
【誤訳訂正４】
【訂正対象書類名】明細書
【訂正対象項目名】００１１
【訂正方法】変更
【訂正の内容】
【００１１】
作動中に、前記整合層側面の少なくとも一部と整合層の先端が、測定対象である前記流体中に伸びる。好ましい実施形態においては、前記熱管理システムは、前記整合層の先端を前記流体と接触させたままで前記整合層側面の一部を前記流体からの熱から分離するように配置される。これは、前記整合層側面の一部を前記熱管理システムによって形成されるエアギャップで分離することによって達せられてもよい。さらに、好ましい実施形態においては、前記熱管理システムは、前記整合層からの伝熱のために前記整合層を覆うスリーブを含む。
【誤訳訂正５】
【訂正対象書類名】明細書
【訂正対象項目名】００１８
【訂正方法】変更
【訂正の内容】
【００１８】
スリーブ３７は壁３６を通って伸び、前記整合層３４との間に小さなエアギャップがある金属シールド３８は対流熱境界層４０と比べて高い接触抵抗を生じさせる。前記金属シールド３８はまた、設置及び作動中に前記緩衝器を保護する。前記緩衝器の先端は、焼成ガラス挿入物４３を使って前記金属シールド３８に密閉される。前記整合層３４は、信号の質を向上させるエアロジェルのような超軽量物質からなる反射防止被膜４５で覆われていてもよい。羽根４２は、前記整合層３４の本体低部から熱を分散させるための圧電セラミック素子３２を保持する前記スリーブ３７に取り付けられる。エポキシシールは、前記熱管理システムの羽根４２から熱を自由に流れさせるように、最小限の接触抵抗で前記スリーブ３７を前記整合層緩衝器３４に接着する。絶縁リング４４は、結晶を前記スリーブ３７と同じ温度に保ちながら、シールド３８からスリーブ３７への直接の伝熱を妨げる。電気等価回路を示す図４は、排気、緩衝器の先端、結晶と周囲の温度、そして、緩衝器の先端の対流境界層４０、緩衝器３４と羽根４２の熱抵抗を示す。前記緩衝器抵抗は、整合層３４の本体低部からの熱分散をモデルとして、前記羽根４２の前での抵抗の一部と、その羽根４２の後ろでの抵抗の一部が示されている。